(57)【要約】主としてシューズ用のミッドソール又はインソールであって、当該ミッドソール又はインソールは、足底状の周辺形状を有する上面（１２）を有するボディ（１１）によって構成されている。ボディ（１１）の下面（１４）からは、第１の複数の及び第２の複数の弾性的に圧縮可能な突起（１５，１６）が下方に突出し、そのそれぞれは軸方向の空洞（１７ａ，１７ｂ）を有する。歩行中又は走行中に、突起はクッション性や反発の最適な特徴によって、ユーザの足の動き及び形状に迅速に適応する。
2019500088.tif 000002
【特許請求の範囲】
【請求項１】
主としてシューズのためのミッドソール（１０）又はインソールであって、足底状の周辺形状を有する上面（１２）を備えるボディ（１１）によって構成され、前記ボディ（１１）の下面（１４）から第１の複数の及び第２の複数の弾性的に圧縮可能な突起（１５，１６）が下方に突出し、前記第１及び第２の複数の突起のそれぞれが軸方向の空洞（１７ａ，１７ｂ）を有することを特徴とする、ミッドソール又はインソール。
【請求項２】
前記ミッドソールは、単一の部品又は複数の要素で提供され、弾性の特徴を有する前記ボディ（１１）は、前記シューズの使用中、前記ボディ（１１）が原形状へ戻ることを容易にするため適合され、又、（０．１５〜１．２０）ｇ／ｃｍ３の間に含まれる密度を有し、ショアＡ硬さで（１５〜６０）の間に含まれる硬度を有することを特徴とする、請求項１に記載のミッドソール。
【請求項３】
前記第１及び第２の複数の突起（１５，１６）は、前記ボディ（１１）の下面（１４）の全体にあり、実質的に円錐台状又はピラミッド状及び／又は円筒形を有する。前記第１の複数の突起（１５）及び前記第２の複数の突起（１６）は、前記ボディ（１１）の下面（１４）の全体にあり、実質的に円錐台状又はピラミッド状及び／又は円筒形であることを特徴とする、請求項１に記載のミッドソール。
【請求項４】
前記第１の複数の突起（１５）は円錐台状であり、前記第２の複数の突起（１６）は円筒形を有することを特徴とする、請求項１及び請求項２に記載のミッドソール。
【請求項５】
前記第１及び２の複数の突起（１５，１６）は弾性的に圧縮可能であり、第１の軸方向の空洞（１７ａ）及び第２の軸方向の空洞（１７ｂ）のそれぞれを有し、どちらも前記ミッドソール（１０）の全体の高さ又は厚さに影響を与えることを特徴とする、上記請求項のいずれかに記載のミッドソール。
【請求項６】
前記ミッドソール（１０）の前記上面（１２）には第１の孔（１８ａ，１８ｂ）が、前記第１の複数の突起（１５）及び前記第２の複数の突起（１６）のそれぞれに存在することを特徴とする、上記請求項のいずれかに記載のミッドソール。
【請求項７】
前記第１の複数の突起（１５）の前記第１の孔（１８ａ）のそれぞれは、前記第１の軸方向の貫通した空洞（１７ａ）に接続され、前記第１の軸方向の貫通した空洞（１７ａ）は、前記第１の複数の突起（１５）のそれぞれの第１の先端（１９ａ）において第２の孔（２０ａ）で終端することを特徴とする、上記請求項のいずれかに記載のミッドソール。
【請求項８】
前記第２の複数の突起（１６）の前記第１の孔（１８ｂ）のそれぞれは、前記第１の軸方向の貫通した空洞（１７ｂ）に接続され、前記第１の軸方向の貫通した空洞（１７ｂ）は、前記第２の複数の突起（１６）のそれぞれの第２の先端（１９ｂ）において第２の孔（２０ｂ）で終端することを特徴とする、上記請求項のいずれかに記載のミッドソール。
【請求項９】
前記複数の第１の孔（１８ａ）は、前記第２の孔（２０ａ）の直径よりも大きい直径を有することを特徴とする、上記請求項のいずれかに記載のミッドソール。
【請求項１０】
前記第１の孔（１８ａ，１８ｂ）のそれぞれは、１ｍｍから１０ｍｍの間に含まれる直径を有し、対応する第１の突起（１５）又は第２の突起（１６）が配置された前記ミッドソール（１０）の所望する領域に位置され、前記第２の孔（２０ａ，２０ｂ）のそれぞれは実質的に２ｍｍの直径を有していることを特徴とする、上記請求項のいずれかに記載のミッドソール。
【請求項１１】
より大きな直径の前記第１の孔（１８ａ）を有し、前記下面（１４）に対してより突出が大きい前記第１の突起（１５）が、ヒール領域（２１）及びフォアフット領域（２９）に配置され、前記第１及び第２の突起（１５，１６）の前記第１及び第２の先端（１９ａ，１９ｂ）は、理想的な曲面上に位置することを特徴とする、上記請求項のいずれかに記載のミッドソール。
【請求項１２】
それぞれの前記第１の複数の突起（１５）の側面には、前記ミッドソール（１０）の前記上面（１２）の方向に直径が増加する一連の同心円状の溝があり、前記溝により、前記第１の複数の突起（１５）を階段状のピラミッドの形状にしていることを特徴とする、上記請求項のいずれかに記載のミッドソール。
【請求項１３】
前記第１及び第２の複数の突起（１５，１６）のそれぞれは、一端が開放され、他端が閉鎖されていることを特徴とする、上記請求項のいずれかに記載のミッドソール。
【請求項１４】
前記第１の複数の突起における前記第１の孔（２０ａ）のそれぞれは、第１の軸方向の閉じた空洞（１７ａ）に接続され、前記第２の複数の突起（１６）の前記第２の孔（２０ｂ）のそれぞれは、第１の軸方向の閉じた空洞（１７ｂ）に接続されていることを特徴とする、上記請求項のいずれかに記載のミッドソール。
【請求項１５】
前記第１の複数の突起（１５）及び前記第２の複数の突起（１６）は、前記ボディ（１１）の下面（１４）に部分的にあり、具体的にはヒール領域（２１）及びフォアフット領域（２９）に限定されることを特徴とする、上記請求項のいずれかに記載のミッドソール。
【請求項１６】
突起（１５，１６）の先端は、解剖学的に輪郭が形成された曲面上に位置することを特徴とする、上記請求項のいずれかに記載のミッドソール。
【請求項１７】
前記複数の第１及び第２の先端（１９ａ，１９ｂ）は、全て実質的に平坦な表面上に位置することを特徴とする、請求項１から請求項１５のいずれかに記載のミッドソール。
【請求項１８】
前記ボディ（１０）の厚さは、実質的に一定であることを特徴とする、上記請求項のいずれかに記載のミッドソール。
【請求項１９】
前記ボディ（１０）の厚さは、解剖学的に可変であることを特徴とする、上記請求項のいずれかに記載のミッドソール。
【請求項２０】
前記ミッドソールは、弾性の特徴を有し、好ましくは（０．１５〜１．２０）ｇ／ｃｍ３の間に含まれる密度を有し、好ましくはショアＡ硬さで（１５〜６０）の間に含まれる硬度を有する、例えばＳＢＳ（スチレン−ブタジエン−スチレン）ゴム、ＮＲゴム（天然ゴム）のようなゴム、並びにＥＶＡ（エチレン酢酸ビニル）、ＴＰＵ（熱可塑性ポリウレタン）、及び二成分（ポリオール−イソシアネート）発泡ポリウレタンの材料を使用することによって提供されることを特徴とする、上記請求項のいずれかに記載のミッドソール。
【発明の詳細な説明】
【技術分野】
【０００１】
本発明は、主としてシューズのための、例えば、ランニング、テニス、及びフットボールのためのスポーツシューズとレジャーシューズとのようなシューズのための、ミッドソール又はインソールに関する。
【背景技術】
【０００２】
今日では、シューズのためのミッドソールが提供されることが知られている。当該ミッドソールは、ウォーキング又はランニング中を想定し、形状に応じて足に解剖学的に適合するため及び緩衝材としても機能するため、通常、厚さを有し、弾性的な可撓性を有する材料からなる。
【０００３】
ミッドソールは、実際には、地面に対して足のぶつかる領域の過度な負荷を適切に低減できなければならず、又、通常のかかとからつま先への一歩の間に受ける力の一部を弾性的に戻すと同時に、筋肉・骨格系の損傷につながる筋肉への力と負荷を低減している。
【０００４】
今日では、そのような要求を満たすために、主な機能として、通常のかかとからつま先への一歩の間の衝撃の吸収、かかとからつま先へ荷重を移動するための弾性変形（elastic yield）、及び反発段階（thrust phase）のための可撓性を有するミッドソールが使用されている。
【０００５】
従って、ミッドソールの約９０％を発泡ポリウレタン（ＥＰ）又はエチレン酢酸ビニル（ＥＶＡ）によって構成し、かかとからつま先までのミッドソールの長さ全体にわたって単一の剛性レベルであることを特徴とするシューズ用のミッドソールが提供されることが知られている。
【発明の概要】
【発明が解決しようとする課題】
【０００６】
引用した公知技術で発見される欠点は、ＥＶＡ製又はＥＰ製のミッドソールは、ユーザの足裏の形状にゆっくりと適応することからなる。その結果、使用中における十分な解剖学的な適合を確保できず、シューズをむしろ不快なものにする。
【０００７】
この欠点は、オーバープロネーション（overpronation）や過度のサピネーション（supination）に苦しむユーザにとってより多く感じられる。
【０００８】
プロネーションは、衝撃を吸収するため歩行中又は走行中に、足が内方向へ回る自然な傾向からなる、走行の通常の一部であり、一部の人は足が地面に着いた後も回転が続く、過度な回転（オーバープロネーション）や、足の不十分な回転（過度なサピネーション）がある。いずれも、走り方に影響を及ぼし、負傷の危険性を高め、足と膝の両方で腱鞘炎を発症し、足底筋膜炎や他の筋肉の炎症を引き起こすことがある。
【０００９】
これらの欠点を克服するために、例えばより厚い又はより薄い垂直の壁の形態である剛性補強要素を、土踏まずのところでミッドソールの中間壁に挿入することが知られている。
【００１０】
そのような剛性要素は、足に適するように三次元的にかつ解剖学的に形作られていないので、足裏の形に適合せず不快で不便である。
【００１１】
従来のミッドソールは、ミッドソールに軽さとクッション性の機能を持たせる追加の材料を使用することにより、ミッドソールの腰部領域で補強されていることが多い。このような使用は、かかと領域に配置され、衝撃吸収特性を高め、地面との衝撃にかかるエネルギーを弾性的に吸収するように変形するのに適している、エア、ゲル、又は同様の材料を含むパッドとして知られている。
【００１２】
このような従来の解決策の欠点は、使用中の繰り返しの圧縮の結果として、ミッドソールが時が経つにつれて、衝撃吸収特性及び反発段階の弾性を失うことに起因する衝撃吸収特性の喪失である。このことは、ミッドソールが作られる主原料の特徴と、スポーツ活動中に生じる繰り返しの圧迫を受けると容易に収縮し壊れるパッドの使用との両方に起因する可能性がある。
【課題を解決するための手段】
【００１３】
本発明の目的は、主としてシューズ用で、ユーザの足の動きと形に迅速に適合することができ、良好なクッション性及び反発を有する、ミッドソール又はインソールを提供することである。
【００１４】
この目的の範囲内で、本発明のねらいは、クッション性と反発性を長期にわたって維持することを確保する、ミッドソール又はインソールを提供することである。
【００１５】
本発明の別のねらいは、オーバープロネーション又は過度のスピネーションの問題を持つ人に対しても、適切なレベルでの解剖学的な適合が達成されることを確保する、ミッドソール又はインソールを提供することである。
【００１６】
本発明の別のねらいは、構造上単純で低コストであり、従来からある通常の装置で製造できる、ミッドソール又はインソールを提供することである。
【００１７】
以下においてより明らかになるこれらの目的やねらいは、足底状の周辺形状を有する上面を備えるボディによって構成され、前記ボディの下面からは、第１の複数の及び第２の複数の弾性的に圧縮可能な突起が下方に突出し、そのそれぞれが軸方向の空洞を有することを特徴とする、主としてシューズ用のミッドソール又はインソールによって達成される。
【００１８】
本発明の更なる特徴及び利点は、特定の、しかし限られない、本発明によるミッドソール又はインソールの実施形態の詳細な説明から、より明らかになるであろう。本発明は非限定的な例として添付図面によって示されている。
【図面の簡単な説明】
【００１９】
【図１】本発明によるミッドソール又はインソールの平面図。
【図２】図１のミッドソール又はインソールの底面図。
【図３】図２のＩＩＩ−ＩＩＩ線に沿った断面図。
【図４】図２のＩＶ−ＩＶ線に沿った断面図。
【図５】図２のＶ−Ｖ線に沿った断面図。
【図６】図２のＶＩ−ＶＩ線に沿った断面図。
【図７】ミッドソール又はインソールの下面をかかと側から見た斜視図。
【図８】第１変形例の底面図。
【図９】図８のＩＸ−ＩＸ線に沿った断面図。
【図１０】図８のＸ−Ｘ線に沿った断面図。
【図１１】第２変形例の底面図。
【図１２】図１１のＸＩＩ−ＸＩＩ線に沿った断面図。
【発明を実施するための形態】
【００２０】
以下に示される実施形態において、具体的な例に関連して示される個々の特徴は、実際には、他の実施形態に存在する他の異なる特徴と交換され得る。
【００２１】
図を参照すると、参照符号１０は概して、主としてシューズ用のミッドソールを示している。ミッドソール１０は足裏を収容するように輪郭が形成されたボディ１１から構成され、第１の外周縁１３によって囲まれた足底状の周辺形状を有する上面１２を画定する。
【００２２】
本体１１の厚さは実質的に一定である。
【００２３】
ミッドソール１０は、単一の部品又は複数の要素で提供される。単一の部品で製造される場合、シューズの使用中にその原形状へ戻ることを容易にするため、弾性の特徴を有する材料を使用して提供される。又、材料は好ましくは（０．１５〜１．２０）ｇ／ｃｍ３の間に含まれる密度を有し、好ましくはショアＡ硬さで（１５〜６０）の間に含まれる硬度を有する、例えば、ＳＢＳ（スチレン−ブタジエン−スチレン）ゴム、ＮＲゴム（天然ゴム）のようなゴム、並びにＥＶＡ（エチレンビニルアセテート）、ＴＰＵ（熱可塑性ポリウレタン）、及び二成分（ポリオール−イソシアネート）発泡ポリウレタンＥＰである。
【００２４】
第１の複数の突起１５及び第２の複数の突起１６は、ミッドソール１０のボディ１１の下面１４から下方に突出している。
【００２５】
第１の複数の突起１５及び第２の複数の突起１６は、ボディ１１の下面１４全体にあり、大部分は円錐台状又はピラミッド状及び／又は円筒形を有する。
【００２６】
好ましくは、第１の複数の突起１５は円錐台状を有するのに対し、第２の複数の突起１６は円筒形を有する。
【００２７】
第１及び第２の複数の突起１５，１６は弾性的に圧縮可能で、第１の軸方向の空洞１７ａ、第２の軸方向の空洞１７ｂをそれぞれ有する。
【００２８】
ミッドソール１０の上面１２には、第１の複数の突起１５及び第２の複数の突起１６のそれぞれに第１の孔１８ａ，１８ｂが存在する。
【００２９】
第１の複数の突起１５の第１の孔１８ａのそれぞれは、第１の軸方向の空洞１７ａに接続され、第１の軸方向の空洞１７ａは第１の複数の突起１５のそれぞれの第１の先端１９において第２の孔２０ａで終端している。
【００３０】
第２の複数の突起１６の第１の孔１８ｂのそれぞれは、第１の軸方向の空洞１７ｂに接続され、第１の軸方向の空洞１７ｂは第２の複数の突起１６のそれぞれの第２の先端１９ｂにおいて第２の孔２０ｂで終端している。
【００３１】
複数の第１の孔１８ａ，１８ｂ及び複数の第２の孔２０ａ，２０ｂは所望の直径を有する。有利には、第１の孔１８ａは第２の孔２０ａの直径より大きい直径を有する。
【００３２】
第１の孔１８ａ，１８ｂはいずれも可変の直径を有し、対応する第１の突起１５又は第２の突起１６が配置されるミッドソール１０の所望の範囲に相関して、好ましくは１〜１０ｍｍの間に含まれる。有利には、より大きな直径の第１の孔１８ａを有し、下面１４に対してより突出が大きい第１の突起１５が、フォアフット２９の中央の領域においてヒール２１の中央の領域に配置される。従って、有利には、第１及び第２の突起１５，１６の第１及び第２の先端１９ａ，１９ｂは、理想的に解剖学的に輪郭が形成された曲面上に位置する。
【００３３】
しかしながら、第２の孔２０ａ，２０ｂのそれぞれは実質的に同じ直径、好ましくは、約２ｍｍの直径を有する。
【００３４】
それぞれの第１の複数の突起１５の側面には、ミッドソール１０の上面１２の方向に直径が増加する一連の同心円状の溝があり、それにより第１の複数の突起１５を階段状のピラミッドの形状にしている。
【００３５】
このことは、第１の複数の突起１５の第１の先端１９ａが、第１の軸方向の空洞１７ａに向かって潰れ、これにより、衝撃の緩和を可能にすると同時に、直径が増大する同心円状の溝の存在は、第１の複数の突起１５が元の形状に戻るまでに反発力（propulsive energy）が復元することにより、弾性変形（elastic yield）をもたらすことを可能にし、衝撃／緩和及び、弾性変形（elastic yield）／反発の別のサイクルが行われる。
【００３６】
第１及び第２の軸方向の空洞１７ａ，１７ｂの存在はミッドソール１０の軽量化に寄与する。
【００３７】
ミッドソール１０の下面１４の所望の範囲における配置並びに第１及び第２の複数の突起１５，１６のそれぞれのサイズ及びそれらの集合は、所望の緩和機能、弾性変形（elastic yield）、並びにユーザの足の解剖学的な形状に関連する反発力及びユーザによって行われる活動のタイプに応じて定められる。
【００３８】
有利には、第２の複数の突起１６のそれぞれは、単一の円筒形の要素で構成されている。
【００３９】
実施形態の第１及び第２変形例では、第１及び第２の複数の突起１５，１６のそれぞれは、一端が開放され、他端が閉鎖されている。
【００４０】
特に、図８から図１０に示される第１変形例では、第１の複数の突起における第１の孔２０ａのそれぞれは、第１の軸方向の閉じた空洞１７ａのそれぞれに接続されている。
【００４１】
さらに、第２の複数の突起１６における第２の孔２０ｂのそれぞれは、第１の軸方向の閉じた空洞１７ｂのそれぞれに接続されている。
【００４２】
ボディ１０の厚さは、解剖学的な外形を仮定して、足における位置に応じて変化する。
【００４３】
複数の第１及び第２の先端１９ａ，１９ｂは全て解剖学的に形成された領域でない、実質的に平坦な表面上に位置する。
【００４４】
図１１及び図１２に示される第２変形例では、第１の複数の突起１５及び第２の複数の突起１６がボディ１１の下面１４に部分的にある。具体的にはヒール領域２１及びフォアフット領域２９に限定される。
【００４５】
さらに、この実施形態においても、第１及び第２の複数の突起１５，１６のそれぞれは一端が開放され、他端が閉鎖されている。
【００４６】
特に、第１の孔２０ａのそれぞれは、第１の軸方向の閉じた空洞１７ａのそれぞれと接続されている。
【００４７】
この場合、ボディ１０の厚さは実質的に一定である。
【００４８】
突起１５，１６の先端１９ａ，１９ｂは、解剖学的に輪郭が形成された曲面上に理想的に位置する。
【００４９】
第２の複数の突起１６における第２の孔２０ｂのそれぞれは、第１の軸方向の空洞１７ｂのそれぞれに接続されている。
【００５０】
従って、本発明は、意図していた目的やねらいを十分に達成することが分かり、ユーザの足の動きと形に迅速に適応することができると同時に、良好なクッション性と反発の特性を有しているミッドソール又はインソールが得られる。
【００５１】
さらに、本発明によるミッドソールは、クッション性と反発の性能が長期にわたって維持されること及びユーザにオーバープロネーション又は過度のスピネーションの問題があるとしても、解剖学的な適合が適切なレベルで達成されることを確保すると分かった。
【００５２】
このように考えられた本発明は、数多くの代案及び変形が可能であり、全てが添付の請求項内にある。そして、例えば、実施の要因に応じ、突起の空洞は、上側の領域又は下側の領域にのみ開放し、その反対側の端で閉鎖され得る。
【００５３】
本発明に使用される材料及び寸法の個々の構成は、特定の用件に従ってより適切となり得る。
【００５４】
有利で便利である等として上に示された特徴は、欠けているか、同等の特徴で置き換えられてもよい。
【００５５】
本出願が優先権を主張するイタリア特許出願第１０２０１５００００７５７４４号（ＵＢ２０１５Ａ００５８４３）の開示は、参照により本明細書に組み込まれている。
【００５６】
請求項に記載された技術的特徴の後の参照符号が付された場合はいずれも、請求項の明瞭さを高めることのみを目的とし、そのような参照符号は、このような参照符号による例示に特定された要素の解釈に、いかなる制限も加えない。
【図１】
2019500088.tif 000003
【図２】
2019500088.tif 000004
【図３】
2019500088.tif 000005
【図４】
2019500088.tif 000006
【図５】
2019500088.tif 000007
【図６】
2019500088.tif 000008
【図７】
2019500088.tif 000009
【図８】
2019500088.tif 000010
【図９】
2019500088.tif 000011
【図１０】
2019500088.tif 000012
【図１１】
2019500088.tif 000013
【図１２】
2019500088.tif 000014
【国際調査報告】
2019500088.tif 000015
2019500088.tif 000016